(57)【要約】      （修正有）【課題】猫背等の姿勢を矯正するベルトであって、着脱と長さ調整を容易にする。【解決手段】姿勢矯正ベルト１は、Ｘ状ベルト２、Ｘ状ベルト２のそれぞれの下端から略横方向に延びる下部ベルト３、Ｘ状ベルト２のそれぞれの上端から斜め下方に延び下部ベルト３の所定位置に至る側部ベルト４からなる。下部ベルト３は、Ｘ状ベルト２の一の下端から横方向に延びる第一下部ベルト３１と、Ｘ状ベルト２の他の下端から第一下部ベルト３１とは逆方向に延びる第二下部ベルト３２からなる。第一下部ベルト３１の端部と第二下部ベルト３２の端部はそれぞれ着脱可能となっている。側部ベルト4は、Ｘ状ベルト２の一の上端から斜め下方に延び第一下部ベルト３１の所定位置に至る第一側部ベルト４１と、Ｘ状ベルト２の他の上端から斜め下方に延び第二下部ベルト３２の所定位置に至る第二側部ベルト４２からなる。【選択図】図１
2014150809.tif 000002
【特許請求の範囲】
【請求項１】
着用時に背中で交差するＸ状ベルトと、
前記Ｘ状ベルトの下端から、それぞれ略横方向且つ逆方向に延び、着用時に胸部の下部近傍に位置し、それぞれの端部が着脱可能な第一及び第二下部ベルトと、
前記Ｘ状ベルトの上端から、それぞれ斜め下方に延びて第一下部ベルトの所定位置に至る第一側部ベルトと、第二下部ベルトの所定位置に至る第二側部ベルトと、
からなる、姿勢矯正ベルト。
【請求項２】
前記Ｘ状ベルトの第一上側部と第一下側部、該第一下側部から略横方向に延びる前記第一下部ベルト、該第一上側部から斜め下方に延びて前記第一下部ベルトの所定位置に至る前記第一側部ベルトが一体に形成され、且つ、
前記Ｘ状ベルトの第二上側部と第二下側部、該第二下側部から略横方向で且つ前記第一下部とは逆方向に延びる前記第二下部ベルト、該第一上側部から斜め下方に延びて前記第二下部ベルトの所定位置に至る前記第二側部ベルトが一体に形成されている、
ことを特徴とする、請求項1記載の姿勢矯正ベルト。
【請求項３】
前記Ｘ状ベルトの上端は円弧状となっていることを特徴とする、請求項１又は２記載の姿勢矯正ベルト。
【発明の詳細な説明】
【技術分野】
【０００１】
本発明は、上半身に装着して姿勢を矯正するベルトに関する。
【背景技術】
【０００２】
従来から、猫背等の姿勢を矯正するベルトが様々ある。
【先行技術文献】
【特許文献】
【０００３】
【特許文献１】特許第４３５６０８４号
【特許文献２】特開２００２−１７７３０９
【発明の概要】
【発明が解決しようとする課題】
【０００４】
特許文献１に記載の発明では、着用時に、体の後側において、肩ベルトが肩から略真下に延びており、肩甲骨の動きを阻害しやすい。また、特許文献１及び特許文献２に記載の発明では、女性が着用した場合、バストが横に流れてしまうことがある。
【課題を解決するための手段】
【０００５】
本発明の姿勢矯正ベルトは、着用時に背中で交差するＸ状ベルトと、Ｘ状ベルトの下端から、それぞれ略横方向且つ逆方向に延び、着用時に胸部の下部近傍に位置し、それぞれの端部が着脱可能な第一及び第二下部ベルトと、Ｘ状ベルトの上端から、それぞれ斜め下方に延びて第一下部ベルトの所定位置に至る第一側部ベルトと、第二下部ベルトの所定位置に至る第二側部ベルトと、からなることを特徴とする。
【０００６】
本発明の姿勢矯正ベルトは、Ｘ状ベルトの第一上側部と第一下側部、第一下側部から略横方向に延びる前記第一下部ベルト、第一上側部から斜め下方に延びて第一下部ベルトの所定位置に至る第一側部ベルトが一体に形成され、且つ、Ｘ状ベルトの第二上側部と第二下側部、第二下側部から略横方向で且つ第一下部ベルトとは逆方向に延びる第二下部ベルト、第一上側部から斜め下方に延びて第二下部ベルトの所定位置に至る第二側部ベルトが一体に形成されている、ことを特徴とする。
【０００７】
本発明の姿勢矯正ベルトは、Ｘ状ベルトの上端は円弧状となっていること特徴とする。
【発明の効果】
【０００８】
請求項１記載の発明によれば、第一側部ベルトと第二側部ベルトが胸部の肩近傍を後に押す力と、Ｘ状ベルトが背中を支える力のバランスにより、姿勢を矯正することができる。また、Ｘ状ベルトの下端から胸部まで延びる第一下部ベルト及び第二下部ベルトは体の略前中心で固定され、Ｘ状ベルトと共に、実質的に胴回り全体に巻き回されるので、胸部と背部の特定の箇所に力が加わることがない。さらに、女性が着用した場合、第一側部ベルトと第二側部ベルトによって、バストを体の中心側に寄せることができる。
【０００９】
請求項２記載の発明によれば、２つのベルトをＸ状ベルトの交差点において固定することにより、安価で容易に製造することができる。
【００１０】
請求項３記載の発明によれば、着用した際に、肩にフィットしやすくなる。
【図面の簡単な説明】
【００１１】
【図１】本発明の姿勢矯正ベルトの第１実施例の正面図である。
【図２】本発明の姿勢矯正ベルトを着用した状態の正面図である。
【図３】本発明の姿勢矯正ベルトを着用した状態の背面図である。
【発明を実施するための形態】
【実施例１】
【００１２】
図１に示されているのは、本発明の実施例である姿勢矯正ベルト１の正面図である。本実施例では、姿勢矯正ベルト１は、幅が5ミリから２０ミリ程の伸縮性のあるテープ状部材からなる。テープの素材は特に限定されるものではなく、素材によってテンションの強弱を変えることができる。また、姿勢矯正ベルト１は、Ｘ状ベルト２、Ｘ状ベルト２のそれぞれの下端から略横方向(図１中、左右方向)に延びる下部ベルト３、Ｘ状ベルト２のそれぞれの上端から斜め下方に延び下部ベルト３の所定位置に至る側部ベルト４からなる。なお、姿勢矯正ベルト１の幅が5ミリから２０ミリの間に限定されないのは、当然である。
【００１３】
下部ベルト３は、Ｘ状ベルト２の一の下端から横方向に延びる第一下部ベルト３１と、Ｘ状ベルト２の他の下端から第一下部ベルト３１とは逆方向に延びる第二下部ベルト３２からなり、それぞれ、略同じ長さである。第一下部ベルト３１の端部と第二下部ベルト３２の端部はそれぞれ着脱可能となっている。
【００１４】
側部ベルト4は、Ｘ状ベルト２の一の上端から斜め下方に延び第一下部ベルト３１の所定位置に至る第一側部ベルト４１と、Ｘ状ベルト２の他の上端から斜め下方に延び第二下部ベルト３２の所定位置に至る第二側部ベルト４２からなり、それぞれ、略同じ長さである。
【００１５】
本実施例においては、Ｘ状ベルト２の第一上側部２１と第一下側部２２、第一側部ベルト４１、第一下部ベルト３１が一体に形成され、第一ベルト部１１となっている。同様に、Ｘ状ベルト２の第二上側部２３と第二下側部２４、第二側部ベルト４２、第二下部ベルト３２が一体に形成され、第二ベルト部１２となっている。
【００１６】
第一上側部２１と第一下側部２２は、くの字状に形成され、同様に、第二上側部２３と第二下側部２４もくの字状に形成されており、同一の角度θを成す。角度θは７０°から１１０°の間であることが望ましい。ここで、第一上側部２１と第二上側部２３は、略同じ長さであり、第一下側部２２と第二下側部２４も、略同じ長さである。
【００１７】
第一上側部２１と第一下側部２２の頂端部と、第二上側部２３と第二下側部２４の頂端部を縫着すると、第一ベルト部１１と第二ベルト部１２は、一体となって姿勢矯正ベルト１が完成する。これによって、第一上側部２１の上端から第二下側部２４の下端に至る線と、第二上側部２３の上端から第一下側部２２の下端に至る線が、縫着された箇所で交差し、Ｘ状ベルト２となる。Ｘ状ベルト２は、この交差した箇所を通る直線Ｘに対して、線対称となっている。
【００１８】
Ｘ状ベルト２の一の上端と他の上端は、円弧状となっており、着用時に肩にフィットする。
【００１９】
本実施例においては、Ｘ状ベルト２の第一上側部２１と第一下側部２２、第一側部ベルト４１、第一下部ベルト３１が一体に形成され、且つ、Ｘ状ベルト２の第二上側部２３と第二下側部２４、第二側部ベルト４２、第二下部ベルト３２が一体に形成されているが、このような構成となっていなくてもよい。
【実施例２】
【００２０】
例えば、第一側部ベルト４１、Ｘ状ベルト２の第一上側部２１、Ｘ状ベルト２の第二下側部２４、第二下部ベルト３２を一体に形成し、且つ、第二側部ベルト４２、Ｘ状ベルト２の第二上側部２３、Ｘ状ベルト２の第一下側部２２、第一下部ベルト３１を一体に形成してもよい。
【００２１】
この後、第一上側部２１と第二下側部２４の境界部と、第二上側部２３と第一下側部２２の境界部を縫着し、さらに、第一側部ベルト４１の下端部と第一下部ベルト３１、第二側部ベルト４２の下端部と第二下部ベルト３２を縫着することにより、一体となって姿勢矯正ベルト１が完成する。
【実施例３】
【００２２】
さらに、第一下部ベルト３１、Ｘ状ベルト２の第一下側部２２、Ｘ状ベルト２の第二下側部２４、第二下部ベルト３２を一体に形成し、且つ、第一側部ベルト４１、Ｘ状ベルト２の第一上側部２１、Ｘ状ベルト２の第二上側部２３、第二側部ベルト４２を一体に形成してもよい。
【００２３】
この後、第一下側部２２と第二下側部２４の境界部と、第一上側部２１と第二上側部２３の境界部を縫着し、さらに、さらに、第一側部ベルト４１の下端部と第一下部ベルト３１、第二側部ベルト４２の下端部と第二下部ベルト３２を縫着することにより、一体となって姿勢矯正ベルト１が完成する。
【００２４】
なお、本発明の姿勢矯正ベルト１が、上記の実施例に限定されないのは、もちろんである。一体に形成されている部分が、上記の実施例と異なっていてもよい。
【００２５】
姿勢矯正ベルト１を着用すると、図２及び図３のようになる。
【００２６】
図２に示されているように、下部ベルト３は、着用時に胸部の下部近傍に位置する。例えば、女性がブラジャーBを着用した場合、ブラジャーBの下縁部近傍に第一下部ベルト３１と第二下部ベルト３２が位置するようになる。さらに、第一下部ベルト３１と第二下部ベルト３２は、体の前側において、着脱及び長さ調整可能となっている。
【００２７】
ここで、近傍とは、その位置、或いは若干位置がずれていても、本発明の目的を達成することができ、本発明の作用効果を奏することができる範囲をいうものとする。
【００２８】
体の背面側においては、図３に示されているように、Ｘ状ベルト２が肩から肋骨の下部近傍にまで至る。Ｘ状ベルト２の第一上側部２１と第二上側部２３は、肩から背中の中心線近傍まで至り、そこから、Ｘ状ベルト２の第一下側部２２と第二下側部２４が、肋骨の下部近傍にまで至る。
【００２９】
側部ベルト４は、着用時に、肩から胸部の外側近傍を通るように肋骨を縦断して、肋骨の下部近傍まで至る。この時、図２中Ａで示された箇所と、体の中心線（正中線）を挟んだ反対側の側部ベルト４の箇所(不図示)において、体を後ろ方向に押す力が働く。さらに、図３に示されたＸ状ベルト２においては、体を前方向に押す力が働く。これらの二つの力が凡そ均衡することにより、着用者の姿勢が真直ぐに保たれ、姿勢が矯正される。
【００３０】
このように、伸縮性のあるテープ状部材からなる姿勢矯正ベルト１を着用することにより、姿勢の矯正を図ることが出来る。
【００３１】
本発明の姿勢矯正ベルト１は、製造が容易な上に、着脱や下部ベルト３における長さ調節も容易であり、簡易な構成によって姿勢矯正を図ることが出来るものである。
【符号の説明】
【００３２】
１  姿勢矯正ベルト
２  Ｘ状ベルト
３  下部ベルト
４  側部ベルト
【図１】
2014150809.tif 000003
【図２】
2014150809.tif 000004
【図３】
2014150809.tif 000005